(57)【要約】【課題】防水シートを用いた躯体に防水を施すシート防水構造において、防水シートの一部を切り取る必要がなく、防水シート自体を傷付けずに、防水シートの劣化の状態を診断することができる診断キット、かかる診断キットを用いた防水シートの診断方法を提供すること。【解決手段】本発明の診断キット６０は、躯体１００に防水を施すシート防水構造１０が備え、躯体１００が有する床部１０１の少なくとも一部を覆う防水シート２０の劣化を診断するために用いられるものであり、防水シート２０の一部に敷設され、縁部において防水シート２０に接合された診断用シート７４と、診断用シート７４の中央部において、防水シート２０と診断用シート７４との間に形成された空間内に収納され、診断用シート７４に一部が接合された介在物とを有する。【選択図】図２
2018105721.tif 000002
【特許請求の範囲】
【請求項１】
躯体に防水を施すシート防水構造が備え、前記躯体が有する床部の少なくとも一部を覆う防水シートの劣化を診断するために用いられる診断キットであって、
前記防水シートの一部に敷設され、縁部において前記防水シートに接合された診断用シートと、
前記診断用シートの中央部において、前記防水シートと前記診断用シートとの間に形成された空間内に収納され、前記診断用シートに一部が接合された介在物とを有することを特徴とする診断キット。
【請求項２】
前記介在物は、その縁部において、前記診断用シートに接合される請求項１に記載の診断キット。
【請求項３】
前記介在物は、平板状をなす硬質板を備える請求項１または２に記載の診断キット。
【請求項４】
前記硬質板は、金属板と、該金属板の表面を被覆する樹脂層とを有する樹脂被覆金属板である請求項３に記載の診断キット。
【請求項５】
前記介在物は、さらに、前記硬質板の中央部の前記診断用シート側に、前記診断用シートに接合されていない非接合シートを備える請求項３または４に記載の診断キット。
【請求項６】
前記非接合シートは、前記硬質板の中央部に複数接合して設けられている請求項５に記載の診断キット。
【請求項７】
前記介在物は、さらに、前記硬質板の前記防水シート側に、前記硬質板の端部を越えて敷設された保護シートを備える請求項３ないし６のいずれか１項に記載の診断キット。
【請求項８】
前記診断用シートは、その前記介在物と反対側の表面に、前記診断用シートの前記介在物に接合されていない領域を認識し得るマーカーを備える請求項１ないし７のいずれか１項に記載の診断キット。
【請求項９】
前記診断用シートは、前記防水シートと同種のものである請求項１ないし８のいずれか１項に記載の診断キット。
【請求項１０】
請求項１ないし９のいずれか１項に記載の診断キットを用いて、前記シート防水構造が備える前記防水シートの診断を行う診断方法であって、
前記シート防水構造の施工の後に、前記診断キットを、前記防水シートの一部に設ける設置工程と、
前記防水シートと前記診断用シートとの間に前記介在物を介在させた状態で、前記診断用シートの前記介在物に接合されていない領域を切り取ることで切片を得る採取工程と、
前記切片の状態に基づいて、前記防水シートの劣化の有無を診断する診断工程とを有することを特徴とする診断方法。
【発明の詳細な説明】
【技術分野】
【０００１】
本発明は、躯体に防水を施すシート防水構造に用いられる防水シートにおける劣化の有無を診断するための診断キット、および、かかる診断キットを用いた防水シートにおける劣化の有無の診断方法に関する。
【背景技術】
【０００２】
近年、建築物の高耐久化が求められるに伴って、多くの建築物の屋上やベランダ等において、防水シート（樹脂シート）を敷設施工したシート防水構造が採用されている（例えば、特許文献１参照。）。
【０００３】
このシート防水構造は、例えば、防水シートと複数の固定ディスクとを備えるものであり、躯体の少なくとも一部に敷設された防水シートを、固定ディスクを介して、躯体に対して接合（固定）する構成とすることで、躯体に対する雨水等に対する防水性が確保される。
【０００４】
このような構成のシート防水構造では、防水シートは、例えば、塩化ビニル系樹脂と可塑剤とを含有するものであり、雨水や、日光に曝されることで、経年的に可塑剤が防水シートから漏出し、その結果、防水シートの柔軟性が低下することに起因して、防水シートに亀裂や破断等が生じ、躯体自体に水が浸入してしまうと言う問題、すなわち、シート防水構造の防水性が低下すると言う問題が生じる。
【０００５】
そのため、防水シートに亀裂や破断等が生じてしまうのに先立って、防水シートの柔軟性の低下、すなわち、防水シートの劣化の状態を知る診断方法が、例えば、特許文献２において提案されているが、かかる診断方法では、診断に用いる診断用試料（切片）を得るために、躯体に敷設された防水シートの一部を切り取らねばならず、防水シート自体を傷付けてしまうと言う問題があった。
【先行技術文献】
【特許文献】
【０００６】
【特許文献１】特開２０１３−５３５１７号公報
【特許文献２】特開２００６−２５２４号公報
【発明の概要】
【発明が解決しようとする課題】
【０００７】
本発明の目的は、防水シートを用いた躯体に防水を施すシート防水構造において、防水シートの一部を切り取る必要がなく、防水シート自体を傷付けずに、防水シートの劣化の状態を診断することができる診断キット、かかる診断キットを用いた防水シートの診断方法を提供することにある。
【課題を解決するための手段】
【０００８】
このような目的は、下記（１）〜（１０）に記載の本発明により達成される。
（１）  躯体に防水を施すシート防水構造が備え、前記躯体が有する床部の少なくとも一部を覆う防水シートの劣化を診断するために用いられる診断キットであって、
前記防水シートの一部に敷設され、縁部において前記防水シートに接合された診断用シートと、
前記診断用シートの中央部において、前記防水シートと前記診断用シートとの間に形成された空間内に収納され、前記診断用シートに一部が接合された介在物とを有することを特徴とする診断キット。
【０００９】
（２）  前記介在物は、その縁部において、前記診断用シートに接合される上記（１）に記載の診断キット。
【００１０】
（３）  前記介在物は、平板状をなす硬質板を備える上記（１）または（２）に記載の診断キット。
【００１１】
（４）  前記硬質板は、金属板と、該金属板の表面を被覆する樹脂層とを有する樹脂被覆金属板である上記（３）に記載の診断キット。
【００１２】
（５）  前記介在物は、さらに、前記硬質板の中央部の前記診断用シート側に、前記診断用シートに接合されていない非接合シートを備える上記（３）または（４）に記載の診断キット。
【００１３】
（６）  前記非接合シートは、前記硬質板の中央部に複数接合して設けられている上記（５）に記載の診断キット。
【００１４】
（７）  前記介在物は、さらに、前記硬質板の前記防水シート側に、前記硬質板の端部を越えて敷設された保護シートを備える上記（３）ないし（６）のいずれかに記載の診断キット。
【００１５】
（８）  前記診断用シートは、その前記介在物と反対側の表面に、前記診断用シートの前記介在物に接合されていない領域を認識し得るマーカーを備える上記（１）ないし（７）のいずれかに記載の診断キット。
【００１６】
（９）  前記診断用シートは、前記防水シートと同種のものである上記（１）ないし（８）のいずれかに記載の診断キット。
【００１７】
（１０）  上記（１）ないし（９）のいずれかに記載の診断キットを用いて、前記シート防水構造が備える前記防水シートの診断を行う診断方法であって、
前記シート防水構造の施工の後に、前記診断キットを、前記防水シートの一部に設ける設置工程と、
前記防水シートと前記診断用シートとの間に前記介在物を介在させた状態で、前記診断用シートの前記介在物に接合されていない領域を切り取ることで切片を得る採取工程と、
前記切片の状態に基づいて、前記防水シートの劣化の有無を診断する診断工程とを有することを特徴とする診断方法。
【発明の効果】
【００１８】
本発明によれば、シート防水構造が備える防水シートを傷つけることなく、シート防水構造の施工時に併せて設置した診断キットが備える診断用シートを切り取ることで切片が得られ、この切片の状態に基づいて、防水シートの劣化の有無を診断することができる。そのため、シート防水構造が備える防水シート自体を傷付けることなく、防水シートの劣化の状態を診断することができる。
【図面の簡単な説明】
【００１９】
【図１】躯体に施されたシート防水構造の実施形態を部分的に取り出した部分斜視図である。
【図２】図１に示すシート防水構造に施された診断キットが備える診断部のＡ−Ａ線縦断面図である。
【図３】図１に示すシート防水構造に施された診断キットが備える診断部のＢ部における平面図である。
【図４】図１に示すシート防水構造に施された診断キットが備える表示部を示す平面図である。
【図５】図１に示すシート防水構造が備える防水シートに、診断キットを施工する施工方法を説明するための平面図である。
【図６】図１に示すシート防水構造が備える防水シートに、診断キットを施工する施工方法を説明するための平面図である。
【図７】図１に示すシート防水構造が備える防水シートに、診断キットを施工する施工方法を説明するための平面図である。
【図８】図１に示すシート防水構造が備える防水シートに、診断キットを施工する施工方法を説明するための平面図である。
【発明を実施するための形態】
【００２０】
以下、本発明の診断キットおよび診断キットを用いた診断方法を添付図面に示す好適実施形態に基づいて詳細に説明する。
【００２１】
まず、本発明の診断キットおよび診断キットを用いた診断方法を説明するのに先立って、本発明の診断キットが適用される、躯体に施工されたシート防水構造について説明する。
【００２２】
＜シート防水構造＞
図１は、躯体に施されたシート防水構造の実施形態を部分的に取り出した部分斜視図である。なお、以下の説明では、図１中の上側を「上」、下側を「下」と言う。また、図１では、説明の便宜上、シート防水構造が施された躯体の全体を示すことなく、躯体が備える床部と壁部とを部分的に図示している。
【００２３】
シート防水構造１０は、床部１０１と、この床部１０１の外縁を取り囲むように沿って立設して設けられた壁部１０２（立ち上がり部）とを有する躯体１００に対して施工されるものであり、床部１０１に敷設されたクロスシート３０と、このクロスシート３０と壁部１０２とに敷設された防水シート２０と、配置部材５０と、固定ディスク（図示せず）とを有している。
【００２４】
配置部材５０は、それぞれ全体形状が長方形状をなす底部５１と立ち上がり面５２とを有するものであり、床部１０１と壁部１０２との境界部に配置され、さらに、複数の固定ディスクは、所定（一定）の間隔を開けてクロスシート３０を介して床部１０１に固定ビスにより固定されており、この状態で、塩化ビニル系樹脂等の樹脂材料を主材料として構成される防水シート２０は、配置部材５０、固定ディスクおよび固定ビスとともにクロスシート３０（床部１０１）と壁部１０２とを覆った状態で、固定部材および固定ディスクに固定されており、これにより、躯体１００の防水性が確保される。
【００２５】
すなわち、日光や雨水には防水シート２０が晒されることとなり、躯体１００が直接的に日光や雨水に晒されることが防止されるため、躯体１００の防水性が確保される。また、固定ディスクの上面と防水シート２０との下面とが接合されており、これにより、固定ディスクを介して床部１０１と防水シート２０とが接合され、その結果、風等に対して防水シート２０が引き剥がされることなく躯体１００に固定されている。
【００２６】
配置部材５０および固定ディスクは、ともに、金属板と、この金属板の表面を被覆する樹脂層とで構成される。
【００２７】
この金属板は、例えば、ステンレス鋼板、鉄板のような鋼板、アルミ板、銅板等で構成されるが、鋼板であるのが好ましい。
【００２８】
また、金属板の厚さは、特に限定されないが、０．１ｍｍ以上、３ｍｍ以下程度であるのが好ましく、０．３ｍｍ以上、２．５ｍｍ以下程度であるのがより好ましい。
【００２９】
樹脂層を構成する樹脂としては、例えば、ポリ塩化ビニルのような塩化ビニル系樹脂、ポリオレフィン系樹脂、エチレン酢酸ビニル共重合体等が挙げられ、これらのうちの１種または２種以上を組み合わせて用いることができるが、塩化ビニル系樹脂（特に、ポリ塩化ビニル）であるのが好ましい。すなわち、後述する防水シート２０を構成する樹脂と、同種または同一であることが好ましい。これにより、樹脂層と防水シート２０との密着性を向上させることができる。さらに、ポリ塩化ビニルは、溶剤溶着性や熱融着性に優れるため、前記効果をより顕著に発揮させることができるとともに、金属板の腐食をより確実に防止することができる。
【００３０】
また、この樹脂層を構成する樹脂には、後述する防水シート２０の構成材料で挙げる可塑剤、安定化剤等の他の材料が含まれていてもよい。
【００３１】
また、樹脂層の厚さは、特に限定されないが、０．１ｍｍ以上であるのが好ましく、０．３ｍｍ以上、０．８ｍｍ以下であるのがより好ましい。これにより、防水シート２０が風で煽られることに起因して、樹脂層に応力が作用したとしても、この樹脂層おいて亀裂や破断が生じるのを的確に抑制することができる。
【００３２】
防水シート２０は、シート状（板状）をなし、配置部材５０および固定ディスクとともにクロスシート３０（床部１０１）と壁部１０２とを覆うものである。
【００３３】
これにより、日光や雨水には防水シート２０が晒され、躯体１００が直接的に日光や雨水に晒されることが防止されることから、躯体１００の防水性が確保される。
【００３４】
このような防水シート２０は、樹脂材料と可塑剤とを含有する樹脂シートで構成される。
【００３５】
樹脂材料としては、特に限定されないが、例えば、ポリ塩化ビニルのような塩化ビニル系樹脂、ポリオレフィン系樹脂、エチレン酢酸ビニル共重合体等が挙げられ、これらのうちの１種または２種以上を組み合わせて用いることができる。これらの中でも、塩化ビニル系樹脂であることが好ましい。これにより、防水シート２０の溶剤溶着性や熱融着性を優れたものとすることができる。
【００３６】
なお、塩化ビニル系樹脂としては、塩化ビニルを含む重合体、すなわちオリゴマー、プレポリマーおよびポリマーであれば特に限定されないが、例えば、塩化ビニルの単量重合体、または塩化ビニルと、酢酸ビニル、エチレン、もしくはプロピレン等との共重合体、およびこれらの２種以上の重合体の混合物等が挙げられる。
【００３７】
さらに、可塑剤は、防水シート２０に優れた柔軟性を付与するために含有され、その具体例としては、特に限定されないが、例えば、ＤＯＰ（ジオクチルフタレート）、ＤＢＰ（ジブチルフタレート）、ＤＩＢＰ（ジイソブチルフタレート）、ＤＨＰ（ジヘプチルフタレート）のようなフタル酸エステル系可塑剤、ＤＯＡ（ジ−２−エチルヘキシルアジペート）、ＤＩＤＡ（ジイソデシルアジペート）、ＤＯＳ（ジ−２−エチルヘキシルセバセート）のような脂肪族二塩基酸エステル系可塑剤、エチレングリコールのベンゾエート類のような芳香族カルボン酸エステル系可塑剤、およびＴＯＴＭ（トリオクチルトリメリテート）のようなトリメリット酸エステル系可塑剤等が挙げられ、これらのうちの１種または２種以上を組み合わせて用いることができる。
【００３８】
また、防水シート２０中における可塑剤の含有率は、特に限定されないが、例えば、２０質量％以上７５質量％以下であることが好ましく、２５質量％以上６０質量％以下であることがより好ましい。これにより、防水シート２０に優れた柔軟性を確実に付与することができ、かつ、躯体への水の浸入を防止する防水シートとしての機能を確実に発揮させることができる。
【００３９】
また、防水シート２０には、さらに、各種安定化剤、各種酸化防止剤、各種紫外線吸収剤、加工助剤、滑剤、充填材、難燃剤および色材等を含んでいてもよい。
【００４０】
なお、安定剤としては、例えば、グリシン亜鉛等が挙げられ、この場合の安定助剤としては、例えば、リン酸トリクレジル（ＴＣＰ）、リン酸トリキシリル（ＴＸＰ）、リン酸トリブチル（ＴＢＰ）、リン酸トリ−２−エチルヘキシル、リン酸２−エチルヘキシル・ジフェニルのような有機リン酸エステル等が挙げられる。
【００４１】
以上のことから、防水シート２０は、塩化ビニル系樹脂と可塑剤とを含有する塩化ビニル系樹脂シートで構成されることが好ましい。これにより、前記効果をより顕著に発揮させることができる。
【００４２】
なお、防水シート２０は、前記樹脂シートの単層で構成されるものの他、例えば、その厚さ方向の途中に繊維層が介挿されたもの、すなわち、厚さ方向に積層された第１樹脂層と第２樹脂層との間に繊維層（繊維シート）が挾持された構成のものであってもよい。
【００４３】
この繊維層は、繊維の集合体で構成されたものであり、例えば、織布や不織布等のクロス、縦糸と横糸とで複数の格子を形成したネット等の繊維シートが挙げられるが、防水シート２０を、このような繊維層を備えるものとすることにより、防水シート２０の強度（引き裂き強度や引っ張り強度等）および耐久性（耐繰り返し疲労特性）を向上させることができる。
【００４４】
また、防水シート２０の厚さは、特に限定されないが、例えば、０．５ｍｍ以上、３ｍｍ以下程度であるのが好ましく、０．８ｍｍ以上、３ｍｍ以下程度であるのがより好ましい。これにより、床部１０１と壁部１０２とを、防水シート２０により確実に覆うことができる。また、防水シート２０から経年的に可塑剤が漏出して、その柔軟性が低下したとしても、早期に防水シート２０に亀裂や破断が生じるのを的確に抑制することができる。
【００４５】
クロスシート３０は、床部１０１上に敷設され、床部１０１と防水シート２０との間に介在するものである。
【００４６】
このクロスシート３０は、例えば、ポリエチレン製の織布からなる絶縁クロスシートで構成される。また、これに代えて、ガラス繊維製の防火用シート、ピンホール検査用のアルミ箔ラミネートシート、珪酸カルシウム板、石綿スレート板、軽量気泡コンクリート板等の高剛性板からなる歩行用ボードを床部１０１上に敷設してもよいし、さらに、これらを上層として備え、下層として、発泡ポリスチレン、ポリウレタンフォーム、ポリイソシアヌレートフォーム、フェノールフォーム等で構成される断熱層（断熱材）を備える積層体を床部１０１上に敷設してもよい。これらのシートを、床部１０１と防水シート２０との間に介在させることにより、シート防水構造１０のクッション性、絶縁性および断熱性等を確保することができる。
【００４７】
なお、シート防水構造１０における、このクロスシート３０の床部１０１に対する敷設は、省略されたものであってもよい。
【００４８】
＜診断キット＞
かかる構成のシート防水構造１０が備え、少なくとも床部１０１の一部を覆う防水シート２０の劣化の有無を診断するために、本発明の診断キット６０が防水シート２０上の一部に設けられている。
【００４９】
以下、本発明の診断キット６０について説明する。
図２は、図１に示すシート防水構造に施された診断キットが備える診断部のＡ−Ａ線縦断面図、図３は、図１に示すシート防水構造に施された診断キットが備える診断部のＢ部における平面図、図４、図１に示すシート防水構造に施された診断キットが備える表示部を示す平面図である。なお、以下の説明では、図２中の上側を「上」、下側を「下」と言い、図３、図４中の紙面手前側を「上」、紙面奥側を「下」と言う。
【００５０】
診断キット６０は、本実施形態では、防水シート２０の一部に敷設され、縁部において防水シート２０に接合された診断用シート７４と、防水シート２０と診断用シート７４との間に形成された空間内に収納され、防水シート２０側から順次積層された、保護シート７１、硬質板７２および非接合シート７３とを備える診断部７０を有している。
【００５１】
かかる構成の診断キット６０（診断部７０）において、保護シート７１、硬質板７２および非接合シート７３が防水シート２０と診断用シート７４との間に介在する介在物を構成し、この介在物の本体として機能する硬質板７２の一部が診断用シート７４に接合している。
【００５２】
ここで、本発明の診断キット６０では、その詳細な説明は、後述する診断方法において行うが、躯体１００に対するシート防水構造１０の施工時に、診断キット６０の設置を防水シート２０の一部に併せて実施し、その後、防水シートの劣化が予想される時期に、診断キット６０が備える診断用シート７４の一部を切片としてカッター等で切り取り、この切片の状態に基づいて、防水シート２０の劣化の有無を診断する。
【００５３】
このように、防水シート２０上に予め設けられた診断キット６０が備える診断用シート７４の一部を切片として切り取ることで、防水シート２０自体を切り取ることなく、防水シート２０の劣化の状態を診断することができる。また、カッター等を用いて、切片を切り取る際に、防水シート２０と診断用シート７４との間に介在物が介在し、この介在物が診断用シート７４を載置する載置台いわゆるまな板としての機能を発揮することから、かかる観点からも、防水シート２０が切り取られるのを、すなわち、防水シート２０が傷付いてしまうのを的確に防止することができる。
【００５４】
診断用シート７４は、防水シート２０の一部（本実施形態では、床部１０１の中央部）に敷設され、その縁部において防水シート２０に接合されている。
【００５５】
この診断用シート７４は、その一部が切片としてカッター等で切り取られ、この切片の状態、すなわち、切片に残存する可塑剤の含有量に基づいて、防水シート２０の劣化の有無を診断するために用いられる。
【００５６】
このような診断用シート７４は、前述した、防水シート２０と同種のものであることが好ましく、防水シート２０と同一のロットのものであることがより好ましく、シート防水構造１０を設ける際に用いた防水シート２０の残部を診断用シート７４として転用したものであることがさらに好ましい。本発明では、前述の通り、診断用シート７４の一部を切り取ったが切片の状態を確認することで取得された情報、すなわち、切片における可塑剤の含有量に基づいて、防水シート２０の劣化の有無を診断するが、診断用シート７４としてこれらのものを用いることにより、防水シート２０における劣化の有無の診断結果を、より信頼性に優れたものとすることができる。
【００５７】
硬質板７２は、介在物の本体をなし、本実施形態では、その全体形状が平板状をなし、防水シート２０と診断用シート７４との間に介在する介在物を構成し、その一部、すなわち、本実施形態では、硬質板７２の上面における非接合シート７３の配置が省略されている硬質板７２（介在物）の縁部が診断用シート７４に接合している。
【００５８】
この硬質板７２は、防水シート２０と診断用シート７４との間に介在物として介在することで、診断用シート７４を載置する載置台いわゆるまな板として機能する。そのため、防水シート２０の一部を、カッター等を用いて切り取る際に、硬質板７２の下側に位置する、防水シート２０が誤って切り取られるのを確実に防止することができる。
【００５９】
この硬質板７２は、カッター等を用いて切り取る際に、カッター等により貫通するのが防止される程度の強度を有するものであればよく、特に限定されるものではないが、例えば、各種樹脂材料で構成される樹脂板、各種金属材料で構成される金属板等を備えるものが挙げられるが、中でも、金属板を備えるものであるのが好ましく、特に、金属板と、この金属板の表面を被覆する被覆層とで構成される樹脂被覆金属板であるのが好ましい。このように金属板を備える構成とすることで、診断用シート７４で被覆される介在物の状態を、防水シート２０で被覆されるシート防水構造１０の状態を確実に近似させることができる。そのため、診断用シート７４を診断することによる、防水シート２０の変質・劣化の程度を間接的に推察する診断結果の精度の向上を図ることができる。また、金属板と被覆層とで構成されるものとすることで、前記効果をより顕著に発揮させることができるとともに、表面が樹脂層で被覆されているため、硬質板７２の一部と診断用シート７４との接合を、防水シート２０と診断用シート７４との接合と同一の手法を用いて接合することができる。
【００６０】
なお、金属板および樹脂層としては、配置部材５０および固定ディスクで挙げた金属板および樹脂層と同様のものが挙げられる。
【００６１】
また、樹脂板を構成する樹脂材料としては、例えば、ポリスチレン系樹脂、ポリエチレン系樹脂、ポリプロピレン系樹脂、ポリエチレンテレフタレート（ＰＥＴ）、ポリエチレンナフタレート（ＰＥＮ）等のポリエステル系樹脂、ポリカーボネート系樹脂、塩化ビニル樹脂、ポリアセタール樹脂等が挙げられ、これらのうち１種または２種以上を組み合わせて用いることができる。
【００６２】
また、本実施形態では、硬質板７２の一部が診断用シート７４に接合している領域は、硬質板７２の上面における非接合シート７３の配置が省略されている領域と一致しており、硬質板７２（介在物）の縁部が診断用シート７４に接合している。これにより、硬質板７２の上面に非接合シート７３が配置されている領域、すなわち、硬質板７２の中央部に対応する領域において診断用シート７４を切り取ることで、得られた切片を確実に診断キット６０から切り離すことができる。
【００６３】
さらに、この硬質板７２は、本実施形態では、その上面に、非接合シート７３を取り囲む各辺（４辺）の延長線上において突出して設けられた複数（１２個）の突出部９０を備えている。これにより、防水シート２０と診断用シート７４との間に形成された空間内に硬質板７２を配置させることで、診断用シート７４により硬質板７２の上面が被覆された際に、これら突出部９０の形状に対応して診断用シート７４が追従する。そのため、診断用シート７４により硬質板７２の上面を被覆したとしても、診断用シート７４の上面（診断用シート７４の介在物と反対側の表面）において、突出部９０の位置を視認することができる。したがって、これら突出部９０を硬質板７２上に配置されている非接合シート７３の位置、すなわち、診断用シート７４の硬質板７２（介在物）に接合されていない領域を診断用シート７４の上面から認識するマーカーとして用いることができるが、このマーカーの利用方法については、後述する診断キットの施工方法において詳述することとする。
【００６４】
非接合シート７３は、本実施形態では、その平面視形状が矩形状をなすシート材であり、診断用シート７４と硬質板７２との間に介在し、硬質板７２の中央部の診断用シート側に診断用シート７４の長手方向に沿って２つ並んで配設されている。
【００６５】
この非接合シート７３は、その下面において硬質板７２に接合されるが、上面において診断用シート７４には接合されていない。これにより、硬質板７２の上面に非接合シート７３が配置されている領域において診断用シート７４を切り取ること、すなわち、非接合シート７３の外形形状に沿って診断用シート７４を切り取ることで、得られる切片を確実に診断キット６０から切り離すことができる。
【００６６】
また、複数（２つ）の非接合シート７３が並んで硬質板７２上に配置（接合）されている。これにより、それぞれの外形形状に対応して診断用シート７４を切り取り、得られた切片を用いて診断用シート７４の診断を実施することで、１つの診断キット６０を用いて、複数回（２回）の診断用シート７４の診断を実施することができる。そのため、複数回の診断用シート７４の診断時期をずらすことにより、診断用シート７４における可塑剤の含有量の経時的な変化を知ることができる。そのため、防水シート２０における可塑剤の含有量の経時的な変化を推定することができる。
【００６７】
この非接合シート７３は、例えば、粘着テープで構成され、この粘着テープとしては、例えば、塩化ビニル、ポリエチレン、ポリイミドのような樹脂材料および／またはアルミニウム、銅のような金属材料で構成される基材上に粘着層を形成したものが挙げられる。
【００６８】
保護シート７１は、本実施形態では、その平面視形状が矩形状をなすシート材であり、防水シート２０と硬質板７２との間に介在し、硬質板７２の防水シート２０側で、その縁部が硬質板７２の端部を越えて突出した状態で配置（敷設）されている。これにより、硬質板７２の端部が防水シート２０に接触するのを確実に防止することができる。そのため、防水シート２０と診断用シート７４との間に形成された空間内において、たとえ、硬質板７２の位置ずれが生じたとしても、硬質板７２の端部（頂部）により、防水シート２０の表面が傷付くのを確実に防止することができる。
【００６９】
また、この保護シート７１は、その下面および上面において、それぞれ、防水シート２０および硬質板７２に対して接合されていない。これにより、防水シート２０と診断用シート７４との間に形成された空間内において、硬質板７２が不本意に位置ずれした際に、硬質板の端部に当接する保護シート７１の位置が変化することとなるため、保護シート７１が局所的に傷付いてしまうのを的確に抑制または防止することができる。
【００７０】
この保護シート７１は、硬質板７２と比較して軟質の材料で構成されるものであれば、特に限定されないが、前述したクロスシート３０が好ましく用いられる。クロスシート３０を保護シート７１として用いることで、硬質板７２の端部から防水シート２０を確実に保護することができる。また、診断用シート７４で被覆される介在物の状態を、防水シート２０で被覆されるシート防水構造１０の状態を確実に近似させることができる。そのため、診断用シート７４を診断することによる、防水シート２０の変質・劣化の程度を間接的に推察する診断結果の精度の向上を図ることができる。
【００７１】
なお、保護シート７１の防水シート２０と硬質板７２との間における敷設は、省略することもできる。この場合、硬質板７２と防水シート２０とは接合されていることが好ましい。硬質板７２と防水シート２０とを接合する構成とすることにより、硬質板７２が防水シート２０に対して位置ずれするのを確実に防止することができるため、かかる構成とすることによっても、硬質板７２の端部（頂部）により、防水シート２０の表面が傷付くのを確実に防止することができる。
【００７２】
また、診断キット６０は、図１に示すように、さらに、防水シート２０上の診断部７０に隣接する位置に貼付された表示部８０（表示用シール）を有している。
【００７３】
この表示部８０には、診断部７０の施工位置、診断部７０の取り扱い上の注意、問い合わせ先等が記載されており（図４参照）、これにより、第三者により、診断部７０が踏み付けられたり、不本意に取り除かれたり等するのを確実に防止することができる。
【００７４】
以上のような診断キット６０は、例えば、以下に示すような施工方法により、シート防水構造１０が備える防水シート２０に対して、設置される。
【００７５】
＜診断キットの施工方法＞
図５〜図８は、図１に示すシート防水構造が備える防水シートに、診断キットを施工する施工方法を説明するための平面図である。
【００７６】
以下、防水シート２０に、診断キット６０を施工する施工方法の各工程について、詳述する。
【００７７】
なお、以下では、硬質板７２として、金属板と、この金属板の表面を被覆する被覆層とで構成されるものを用いた場合を一例に説明する。
【００７８】
［１Ａ］まず、躯体１００に対するシート防水構造１０の施工の後に、予め用意した、硬質板７２と保護シート７１とを、保護シート７１を下側として、保護シート７１の縁部（４辺）が硬質板７２の端部を越えて突出した状態で、保護シート７１の中央部に硬質板７２を重ね合わせて、シート防水構造１０が備える防水シート２０上に載置する（図５参照）。
【００７９】
これら硬質板７２および保護シート７１を載置する位置、すなわち、診断キット６０（診断部７０）を設ける位置は、水下は避け、躯体１００に施されたシート防水構造１０において最も日当たりの良い位置が好ましく選択される。これにより、シート防水構造１０において最も劣化が著しい位置の防水シート２０の診断を、間接的に実施することができることとなる。
【００８０】
また、本実施形態では、防水シート２０に対する、保護シート７１を下側とした、保護シート７１と硬質板７２とを重ね合わせた状態とした保護シート７１および硬質板７２の載置では、防水シート２０と保護シート７１との間、および、保護シート７１と硬質板７２との間において接合がなされていない。
【００８１】
さらに、硬質板７２の一方の面には、合計１２個の突出部が設けられているが、この一方の面が上側、すなわち上面となるように、保護シート７１を介して、防水シート２０上に硬質板７２が載置されている。
【００８２】
また、保護シート７１は、前述の通り、好ましくはクロスシート３０が用いられるが、この場合、シート防水構造１０の施工時に、クロスシート３０の不要となった部分を、予め裁断することにより用意される。
【００８３】
［２Ａ］次に、硬質板７２の中央部に、硬質板７２の長手方向に沿って配列された２つの非接合シート７３を形成する。
【００８４】
これら非接合シート７３は、本実施形態では、硬質板７２の上面に接合されるが、この場合、硬質板７２の上面に形成された突出部９０と、粘着テープとを用いて、例えば、以下のようにして形成される。
【００８５】
［２Ａ−１］まず、硬質板７２上に形成された突出部９０同士を結ぶラインを硬質板７２上に形成する。
【００８６】
より具体的には、位置Ａおよび位置Ｈにおける突出部９０同士を結ぶことによりラインａを、位置Ｂおよび位置Ｇにおける突出部９０同士を結ぶことによりラインｂを、位置Ｃおよび位置Ｆにおける突出部９０同士を結ぶことによりラインｃを、位置Ｄおよび位置Ｅにおける突出部９０同士を結ぶことによりラインｄを、位置Ｉおよび位置Ｊにおける突出部９０同士を結ぶことによりラインｅを、位置Ｌおよび位置Ｋにおける突出部９０同士を結ぶことによりラインｆを、それぞれ、硬質板７２上に形成する（図６参照）。
【００８７】
［２Ａ−２］次いで、硬質板７２上の各ラインにより取り囲まれた領域に対して、粘着テープを貼付することで、硬質板７２の中央部に２つの非接合シート７３を形成する。
【００８８】
より具体的には、図６に示すように、ラインａ、ｂ、ｅ、ｆにより取り囲まれた領域、および、ラインｃ、ｄ、ｅ、ｆにより取り囲まれた領域に対して、それぞれ、粘着テープを貼付することにより、図７に示すように、硬質板７２の長手方向に並んで配列された２つの非接合シート７３が硬質板７２上に形成される。
【００８９】
［３Ａ］次に、診断用シート７４を用意し、この診断用シート７４の中央部に硬質板７２が配置されるように、硬質板７２を診断用シート７４で覆い、その後、診断用シート７４の縁部を防水シート２０に接合することで、診断用シート７４を防水シート２０に固定する（図８参照）。
【００９０】
この診断用シート７４の防水シート２０に対する固定の際に、防水シート２０と診断用シート７４との間に空間が形成され、この空間内に保護シート７１と硬質板７２と非接合シート７３とで構成される介在物が収納される。
【００９１】
また、診断用シート７４の縁部と防水シート２０との接合の際に、本実施形態では、非接合シート７３から露出する硬質板７２の縁部（介在物の一部）と診断用シート７４とを接合する。
【００９２】
これら診断用シート７４と防水シート２０との接合、および、診断用シート７４と硬質板７２との接合は、例えば、溶剤を用いた溶着法、熱風を吹き付ける熱融着法、および、接着剤を介して接合する接着法等のいずれを用いても行い得るが、中でも、溶着法を用いて行われたものであることが好ましい。
【００９３】
溶着法（刷毛溶着法）を用いた場合、これらの接合は、例えば、以下のようにして実施される。
【００９４】
［３Ａ−１］まず、防水シート２０および介在物（保護シート７１と硬質板７２と非接合シート７３）に診断用シート７４を敷設するのに先立って、防水シート２０の診断用シート７４と接合すべき領域、および、硬質板７２の縁部で露出する樹脂層に、刷毛ブラシ等を用いて、溶剤（可溶性溶剤）を塗布（供給）する。これにより、防水シート２０の上面および樹脂層の上面が溶剤と接触し、その結果、溶融状態とされる。
【００９５】
この際、硬質板７２の中央部に貼付された非接合シート７３は、硬質板７２の縁部以外の領域に位置する樹脂層が溶剤と接触するのを防止するマスクとして機能し、その結果、この樹脂層が溶融状態とされるのを確実に防止することができる。
【００９６】
［３Ａ−２］次いで、防水シート２０および介在物に診断用シート７４を敷設する。
【００９７】
［３Ａ−３］次いで、診断用シート７４を、作業員の手等により押圧することで、診断用シート７４の下面を防水シート２０の上面および硬質板７２が備える樹脂層の上面に固定させる。これにより、診断用シート７４が防水シート２０と硬質板７２の縁部（一部）とに接合される。なお、この際、診断用シート７４と硬質板７２との間で、非接合シート７３が介在する領域では、硬質板７２と非接合シート７３とは接合されるが、診断用シート７４と非接合シート７３とは接合されていない。
【００９８】
このような工程［３Ａ−１］〜［３Ａ−３］を経ることにより、防水シート２０に診断部７０が固定される。
【００９９】
なお、前記溶剤（可溶性溶剤）としては、防水シート２０および樹脂層を溶融状態とし得るものであれば、特に限定されないが、樹脂層が塩化ビニル系樹脂を含む樹脂で構成される場合、例えば、テトラヒドロフラン（ＴＨＦ）ニトロベンゼン、四塩化炭素、ピリジン、酢酸エチル、シクロヘキサノン、メチルエチルケトン（ＭＥＫ）等のケトン類、トルエン、メチルアルコール、イソプロピルアルコール等のアルコール類等が挙げられ、これらのうちの１種または２種以上を組み合わせて用いることができるが、中でも、ＴＨＦであることが好ましい。ＴＨＦは、防水シート２０および樹脂層を確実に溶融状態とし得るとともに、揮発性に優れた溶剤であるため、診断用シート７４と防水シート２０および樹脂層とを強固に固定することができる。
【０１００】
また、接着剤を用いた接着法では、防水シート２０と硬質板７２の縁部との上面に接着剤を塗布し、その後、診断用シート７４を、接着剤を介してこの上面に貼り合わせた後、接着剤を固化または硬化させることで、これらに対して診断用シート７４が接合されることから、接着法を用いる場合には、硬質板７２の上面に対する非接合シート７３の形成を省略することができる。
【０１０１】
さらに、診断用シート７４は、前述の通り、好ましくは防水シート２０が用いられるが、この場合、シート防水構造１０の施工時に、防水シート２０の不要となった部分を、予め裁断することにより用意される。
【０１０２】
［４Ａ］次に、防水シート２０上に固定された診断部７０の近傍に、シール材で構成された表示部８０を貼付する。
【０１０３】
以上のような工程［１Ａ］〜工程［４Ａ］を経ることにより、防水シート２０の一部に診断キット６０が設けられ、これら工程［１Ａ］〜工程［４Ａ］により、本発明の診断方法における、設置工程が構成される。
【０１０４】
以上のようにして防水シート２０に施工された診断キット６０は、例えば、以下に示すような診断方法により、診断用シート７４を切り取ることで得られた切片を用いて、シート防水構造１０が備える防水シート２０の劣化の有無が診断される。
【０１０５】
＜診断キットを用いた診断方法＞
［１Ｂ］まず、診断部７０が備える診断用シート７４のうち、硬質板７２上に設けられた非接合シート７３に対応する領域を、切り取ることで切片を得る。
【０１０６】
ここで、本実施形態では、硬質板７２の上面に複数の突出部９０が設けられ、前述の通り、これら突出部９０の形状に対応して、硬質板７２の上面を被覆する診断用シート７４が追従するため、診断用シート７４により硬質板７２の上面が被覆された状態で、突出部９０の位置が視認される。そこで、以下では、これら突出部９０を用いて診断用シート７４から切片を得る方法について説明する。
【０１０７】
［１Ｂ−１］まず、診断用シート７４が追従（被覆）した状態で視認される突出部９０を用いて、突出部９０同士を結ぶライン（墨出しライン）を診断用シート７４上に形成する。
【０１０８】
より具体的には、前記工程［２Ａ−２］と同様にして、位置Ａおよび位置Ｈにおける突出部９０同士を結ぶことによりラインａを、位置Ｂおよび位置Ｇにおける突出部９０同士を結ぶことによりラインｂを、位置Ｃおよび位置Ｆにおける突出部９０同士を結ぶことによりラインｃを、位置Ｄおよび位置Ｅにおける突出部９０同士を結ぶことによりラインｄを、位置Ｉおよび位置Ｊにおける突出部９０同士を結ぶことによりラインｅを、位置Ｌおよび位置Ｋにおける突出部９０同士を結ぶことによりラインｆを、それぞれ、本工程［１Ｂ−１］では、硬質板７２上に代えて、診断用シート７４上に形成する。
【０１０９】
［１Ｂ−２］次いで、診断用シート７４上の各ラインにより取り囲まれた２つの領域のうちの一方について、各ラインに沿って、カッター等を用いて、診断用シート７４の上面側から硬質板７２に到達するまで刃を入れることで、診断用シート７４の下側に位置する非接合シート７３の形状に対応して、診断用シート７４を裁断（切断）する。
【０１１０】
この際、診断用シート７４の非接合シート７３に対応する位置では、診断用シート７４と非接合シート７３とが接合していないため、非接合シート７３の形状に対応して、診断用シート７４を裁断することで、この裁断により得られる切片を硬質板７２（診断部７０）から切り離した状態で得ることができる。
【０１１１】
以上のような工程［１Ｂ−１］および工程［１Ｂ−２］のように、非接合シート７３の外形を決定する各辺（４辺）の延長線上に位置する突出部９０を用いることで、硬質板７２上に配置されている非接合シート７３の位置、すなわち、診断用シート７４の硬質板７２（介在物）に接合されていない領域を決定することができる。換言すれば、突出部９０を、非接合シート７３の位置、すなわち、診断用シート７４の硬質板７２に接合されていない領域を診断用シート７４の上面から認識するマーカーとして用いることができる。そのため、診断用シート７４の裁断により得られる切片を硬質板７２（診断部７０）から確実に切り離した状態で得ることができる。
【０１１２】
また、診断用シート７４の裁断の際に、カッター等の刃が、硬質板７２に当接した状態となっているため、硬質板７２の下側に位置する防水シート２０が傷付いてしまうのを的確に防止することができる。
【０１１３】
このような工程［１Ｂ］により、本発明の診断方法における、防水シート２０と診断用シート７４との間に介在物を介在させた状態で、診断用シート７４の介在物に接合されていない領域を切り取ることで切片を得る採取工程が構成される。
【０１１４】
［２Ｂ］次に、診断用シート７４に由来する切片の状態に基づいて、防水シート２０の劣化の有無を診断する（診断工程）。
【０１１５】
この防水シート２０の劣化の有無の診断は、本実施形態では、切片に残存する可塑剤の含有量を測定し、この測定された含有量に基づいて、防水シート２０の劣化の有無を診断する。
【０１１６】
以上のような工程［１Ｂ］、工程［２Ｂ］による、診断キット６０を用いた診断方法によれば、シート防水構造１０が備える防水シート２０を傷つけることなく、防水シート２０の劣化の状態を診断することができる。そして、この診断結果に基づいて、防水シート２０の改修時期、すなわち、シート防水構造１０の改修の必要の有無を決定することができる。
【０１１７】
また、工程［１Ｂ］および工程［２Ｂ］をずらして複数回（本実施形態では、２回）実施することにより、防水シート２０の劣化の状態を経時的に診断することができる。
【０１１８】
以上、本発明の診断キットおよび診断方法について説明したが、本発明は、これらに限定されるものではない。
【０１１９】
例えば、本発明の診断キットにおいて、各構成は、同様の機能を発揮し得る任意のものと置換することができ、あるいは、任意の構成のものを付加することができる。
【０１２０】
さらに、本発明の診断方法には、任意の目的の工程が１または２以上追加されてもよい。
【符号の説明】
【０１２１】
１０                シート防水構造
２０                防水シート
３０                クロスシート
５０                配置部材
５１                底部
５２                立ち上がり面
６０                診断キット
７０                診断部
７１                保護シート
７２                硬質板
７３                非接合シート
７４                診断用シート
８０                表示部
９０                突出部
１００              躯体
１０１              床部
１０２              壁部
【図１】
2018105721.tif 000003
【図２】
2018105721.tif 000004
【図３】
2018105721.tif 000005
【図４】
2018105721.tif 000006
【図５】
2018105721.tif 000007
【図６】
2018105721.tif 000008
【図７】
2018105721.tif 000009
【図８】
2018105721.tif 000010